(57)【特許請求の範囲】
【請求項１】
情報が付与される情報付与領域を有する情報片部と、該情報片部に折り部にて折り畳み可能に連接した隠蔽片部とからなる情報隠蔽シートが複数枚積層され、前記情報付与領域に付与された情報が前記隠蔽片部によって隠蔽される情報隠蔽シート体であって、
前記複数枚の情報隠蔽シートは、前記情報片部及び前記隠蔽片部のいずれか一方の、少なくとも前記情報片部と前記隠蔽片部との連接辺以外の辺部に沿う領域に付与された粘着剤によって互いに剥離可能に貼着されており、互いに剥離された後、前記情報付与領域が内側となるように前記折り部にて折り畳まれて前記粘着剤によって前記情報片部と前記隠蔽片部とが剥離可能に貼着される情報隠蔽シート体。
【請求項２】
情報が付与される情報付与領域を有する情報片部と、該情報片部に折り部にて折り畳み可能に連接した隠蔽片部とからなる情報隠蔽シートが複数枚積層され、前記情報付与領域に付与された情報が前記隠蔽片部によって隠蔽される情報隠蔽シート体であって、
前記複数枚の情報隠蔽シートのそれぞれは、前記情報片部と前記隠蔽片部のそれぞれに、見開き用のミシン目が形成されており、
前記複数枚の情報隠蔽シートは、前記情報片部及び前記隠蔽片部のいずれか一方の、少なくとも前記情報片部と前記隠蔽片部との連接辺以外の辺部に沿う領域に付与された粘着剤によって互いに剥離可能に貼着されており、互いに剥離された後、前記情報付与領域が内側となるように前記折り部にて折り畳まれて前記粘着剤によって前記情報片部と前記隠蔽片部とが貼着され、その後、前記ミシン目によって見開かれる情報隠蔽シート体。
【請求項３】
情報が付与される情報付与領域を有する情報片部と、該情報片部に折り部にて折り畳み可能に連接した隠蔽片部とからなる情報隠蔽シートが複数枚積層され、前記情報付与領域に付与された情報が前記隠蔽片部によって隠蔽される情報隠蔽シート体であって、
前記複数枚の情報隠蔽シートは、前記隠蔽片部の一方の面の全面に付与された粘着剤によって互いに剥離可能に貼着されており、互いに剥離された後、前記情報付与領域が内側となるように前記折り部にて折り畳まれて前記粘着剤によって前記情報片部と前記隠蔽片部とが剥離可能に貼着される情報隠蔽シート体。
【請求項４】
請求項１乃至３のいずれか１項に記載の情報隠蔽シート体が封入された封筒。
【発明の詳細な説明】
【技術分野】
【０００１】
本発明は、所定の領域に付与された情報を隠蔽可能な情報隠蔽シートが複数積層されてなる情報隠蔽シート体及びこれが封入された封筒に関する。
【背景技術】
【０００２】
従来より、情報を記入するための情報記入領域が設けられたはがきにおいて、情報記入領域に情報を記入した後に、この情報記入領域上に隠蔽片を貼着し、それにより、情報記入領域に記入された情報を隠蔽可能とするものが考えられている（例えば、特許文献１参照。）。
【０００３】
図１７は、従来の隠蔽申込はがきの一例を示す図であり、（ａ）は折り畳み状態内側となる面を示す図、（ｂ）は（ａ）に示したＡ−Ａ’断面図である。
【０００４】
本従来例は図１７に示すように、申込情報が記入される申込情報記入領域３１１が設けられた申込片３１０と、一方の面に貼着後の剥離が可能な粘着剤３２１が塗布された隠蔽片３２０とが折り部３３０を介して連接し、隠蔽片３２０に粘着剤３２１によって剥離片３０２が剥離可能に貼着されて構成されている。
【０００５】
上記のように構成された隠蔽申込はがきを用いて申し込みを行う場合は、申込情報記入領域３１１に申込情報を記入した後、隠蔽片３２０から剥離片３０２を剥離し、折り部３３０にて折り畳んで隠蔽片３２０に塗布された粘着剤３２１によって申込片３１０上に隠蔽片３２０を貼着する。これにより、申込情報記入領域３１１に記入された申込情報が外部から視認不可能な状態となる。この状態で隠蔽申込はがきを送付すれば、送付途中において申込情報記入領域３１１に記入された申込情報を隠蔽することができる。
【０００６】
近年、クレジットカードを用いた公共料金の支払いサービスが提供されている。このサービスは、消費者が所有するクレジットカードを用いて電気やガス等の公共料金を支払うものである。そのサービスに申し込む場合は、クレジットカード会社から提供される申込用紙に、消費者の住所や氏名、クレジットカード番号を記入し、電力会社やガス会社に申込用紙を送付する。この申込用紙は電力会社やガス会社からクレジットカード会社に送られ、クレジットカードを用いた公共料金の支払いサービスの申し込みが受け付けられる。
【０００７】
このようなクレジットカードを用いた公共料金の支払いサービスの申し込みにおいても、上述したような隠蔽申込はがきが用いられ、申込片に必要事項を記入した後、隠蔽片を申込片に貼着して送付することが行われている。
【０００８】
さらに、近年においては、上述したようなクレジットカードを用いた公共料金の支払いサービスを、１つのクレジットカード会社において複数の公共料金について提供することが行われている。
【０００９】
図１８は、クレジットカードを用いた公共料金の支払いサービスを、１つのクレジットカード会社において複数の公共料金について提供する場合の処理の流れを説明するための図である。
【００１０】
例えば、クレジットカードを用いた電気料金とガス料金の支払いサービスを１つのクレジットカード会社にて提供する場合、図１８に示すように、図１７に示したような隠蔽申込はがきが電気料金用とガス料金用の２枚、クレジットカード会社４０１から顧客４０２に送付されてくる。
【００１１】
顧客４０２は、クレジットカード会社４０１から送付されてきた２枚の隠蔽申込はがきの申込情報記入領域３１１に申込情報をそれぞれ記入して隠蔽片３２０を申込片３１０上に貼着し、電気料金用の隠蔽申込はがきは電力会社４０３へ、また、ガス料金用の隠蔽申込はがきはガス会社４０４に送付する。
【００１２】
その後、電力会社４０３及びガス会社４０４においては、顧客から送付されてきた隠蔽申込はがきの申込情報記入領域３１１に記入された申込情報を確認し、その内容をクレジットカード会社４０１に通知することになる。
【特許文献１】特開平１１−２６３０８７号公報
【発明の開示】
【発明が解決しようとする課題】
【００１３】
上述したように、クレジットカードを用いた公共料金の支払いサービスを、１つのクレジットカード会社において複数の公共料金について提供する場合、公共料金の対象となる公共サービス毎に申込用紙や申込はがきを消費者に配布する必要がある。その場合、公共サービスの数だけの、申込片、隠蔽片及び剥離片の組が配布されることになるため、その分のコストアップが生じてしまうとともに、隠蔽片を申込片に貼着した際、申込用紙や申込はがきの数だけの剥離片がごみとして生じてしまうという問題点がある。また、申込用紙や申込はがきを郵送にて消費者に配布する場合、重量が増加して郵送料金が大幅に増加してしまうという問題点がある。
【００１４】
本発明は、上述したような従来の技術が有する問題点に鑑みてなされたものであって、製造や郵送にかかるコストアップを抑制することができ、かつ、発生するごみの量を低減することができる情報隠蔽シート体及びこれが封入された封筒を提供することを目的とする。
【課題を解決するための手段】
【００１５】
上記目的を達成するために本発明は、
情報が付与される情報付与領域を有する情報片部と、該情報片部に折り部にて折り畳み可能に連接した隠蔽片部とからなる情報隠蔽シートが複数枚積層され、前記情報付与領域に付与された情報が前記隠蔽片部によって隠蔽される情報隠蔽シート体であって、
前記複数枚の情報隠蔽シートは、前記情報片部及び前記隠蔽片部のいずれか一方の、少なくとも前記情報片部と前記隠蔽片部との連接辺以外の辺部に沿う領域に付与された粘着剤によって互いに剥離可能に貼着されており、互いに剥離された後、前記情報付与領域が内側となるように前記折り部にて折り畳まれて前記粘着剤によって前記情報片部と前記隠蔽片部とが剥離可能に貼着される。
また、情報が付与される情報付与領域を有する情報片部と、該情報片部に折り部にて折り畳み可能に連接した隠蔽片部とからなる情報隠蔽シートが複数枚積層され、前記情報付与領域に付与された情報が前記隠蔽片部によって隠蔽される情報隠蔽シート体であって、
前記複数枚の情報隠蔽シートのそれぞれは、前記情報片部と前記隠蔽片部のそれぞれに、見開き用のミシン目が形成されており、
前記複数枚の情報隠蔽シートは、前記情報片部及び前記隠蔽片部のいずれか一方の、少なくとも前記情報片部と前記隠蔽片部との連接辺以外の辺部に沿う領域に付与された粘着剤によって互いに剥離可能に貼着されており、互いに剥離された後、前記情報付与領域が内側となるように前記折り部にて折り畳まれて前記粘着剤によって前記情報片部と前記隠蔽片部とが貼着され、その後、前記ミシン目によって見開かれる。
また、情報が付与される情報付与領域を有する情報片部と、該情報片部に折り部にて折り畳み可能に連接した隠蔽片部とからなる情報隠蔽シートが複数枚積層され、前記情報付与領域に付与された情報が前記隠蔽片部によって隠蔽される情報隠蔽シート体であって、
前記複数枚の情報隠蔽シートは、前記隠蔽片部の一方の面の全面に付与された粘着剤によって互いに剥離可能に貼着されており、互いに剥離された後、前記情報付与領域が内側となるように前記折り部にて折り畳まれて前記粘着剤によって前記情報片部と前記隠蔽片部とが剥離可能に貼着される。
【００１６】
上記のように構成された本発明においては、積層された複数枚の情報隠蔽シートは、情報片部及び隠蔽片部のいずれか一方に付与された粘着剤によって互いに剥離可能に貼着されている。このような構成の情報隠蔽シート体は、例えば、情報片部と隠蔽片部との連接辺にて折り畳まれて提供される。その際、積層された複数枚の情報隠蔽シートのうち最表面となる情報隠蔽シートは、情報片部及び隠蔽片部のいずれか一方に付与された粘着剤によって情報片部と隠蔽片部とが剥離可能に貼着される。そして、情報隠蔽シートの情報片部に情報を付与する前、あるいは情報を付与した後に、複数の情報隠蔽シートを剥離し、情報片部及び隠蔽片部のいずれか一方に付与された粘着剤によって情報片部と隠蔽片部とを貼着する。これにより、情報片部に付与された情報が隠蔽片部によって隠蔽される。
【００１７】
このように、情報片部に隠蔽片部を貼着することにより、情報片部に付与された情報を隠蔽する情報隠蔽シートを複数枚提供する場合においても、剥離片が不要となり、製造や郵送にかかるコストアップが抑制されるとともに、剥離片によるごみが生じない。
【００１８】
また、複数枚の情報隠蔽シートのうち積層状態にて最表面となる情報隠蔽シートの隠蔽片部に、隠蔽片部に付与された粘着剤によって剥離片が剥離可能に貼着された構成とすることも考えられ、その場合、この剥離片に情報片部への情報の付与方法を記載しておけば、剥離片に記載された情報を参照しながら情報片部に情報を付与することができる。また、情報片部と隠蔽片部との連接辺にて折り畳まずに提供しても、粘着剤が露出せずにベタつくことがない。
【００１９】
また、情報片部が複写可能な構造を有する構成とすることも考えられ、その場合、複数枚の情報隠蔽シートが貼着された状態で情報片部に情報を付与することにより、貼着された複数枚の情報隠蔽シートの情報片部にそれぞれ情報が付与されることになり、複数枚の情報隠蔽シートの情報片部のそれぞれに個別に情報を付与する必要がない。
【発明の効果】
【００２０】
以上説明したように本発明においては、複数枚の情報隠蔽シートが積層され、情報片部及び隠蔽片部のいずれか一方に付与された粘着剤によって互いに剥離可能に貼着されている構成としたため、製造や郵送にかかるコストアップを抑制することができ、かつ、発生するごみの量を低減することができる。
【発明を実施するための最良の形態】
【００２１】
以下に、本発明の実施の形態について図面を参照して説明する。
【００２２】
（第１の実施の形態）
図１は、本発明の情報隠蔽シート体の第１の実施の形態を示す図である。
【００２３】
本形態は図１に示すように、申込情報が記入される情報片部である申込片１０と、折り部３０を介して申込片１０に連接した隠蔽片２０とからなる情報隠蔽シートである２枚の申し込みシート１ａ，１ｂが積層され、申し込みシート１ｂの隠蔽片２０に塗布された粘着剤２１によって貼着されて構成されている。なお、折り部３０は、筋押しによる折り線やミシン目等によって形成することが考えられるが、ミシン目によって形成すれば、隠蔽片２０が不要なった後に申込片１０から隠蔽片２０を容易に切り離すことができる。
【００２４】
図２は、図１に示した申し込みシート１ａの詳細な構成を示す図であり、（ａ）は折り畳み状態内側となる面を示す図、（ｂ）は折り畳み状態外側となる面を示す図である。
【００２５】
図１に示した申し込みシート１ａは図２に示すように、申込片１０と隠蔽片２０とが折り部３０を介して連接して構成されている。
【００２６】
申し込みシート１ａの申込片１０は、その表面に、申込情報を記入するための申込情報付与領域である申込情報記入領域１１ａが設けられているとともに、折り部３０以外の辺部に沿う領域に剥離剤１２が塗布されている。また、申込片１０の裏面には、この申し込みシート１ａの送付先の住所や名称等の宛先情報１３ａが印字されている。
【００２７】
申し込みシート１ａの隠蔽片２０は、その表面に、折り部３０以外の辺部に沿う領域に粘着剤２１が塗布されている。また、隠蔽片２０の裏面には、折り部３０以外の辺部に沿う領域に剥離剤２２が塗布されている。
【００２８】
図３は、図１に示した申し込みシート１ｂの詳細な構成を示す図であり、（ａ）は折り畳み状態内側となる面を示す図、（ｂ）は折り畳み状態外側となる面を示す図である。
【００２９】
図１に示した申し込みシート１ｂは図３に示すように、申込片１０と隠蔽片２０とが折り部３０を介して連接して構成されている。
【００３０】
申し込みシート１ｂの申込片１０は、その表面に、申込情報を記入するための申込情報付与領域である申込情報記入領域１１ｂが設けられているとともに、折り部３０以外の辺部に沿う領域に剥離剤１２が塗布されている。また、申込片１０の裏面には、この申し込みシート１ｂの送付先の住所や名称等の宛先情報１３ｂが印字されている。
【００３１】
申し込みシート１ｂの隠蔽片２０は、その表面に、折り部３０以外の辺部に沿う領域に粘着剤２１が塗布されている。
【００３２】
以下に、上記のように構成された情報隠蔽シート体の使用方法について、クレジットカードを用いての電気料金とガス料金の支払いを申し込む場合を例に挙げて説明する。なお、図１〜図３に示した申し込みシート１ａが電気料金の支払いを申し込むためのもの、申し込みシート１ｂがガス料金の支払いを申し込むためのものとする。
【００３３】
図１〜図３に示した情報隠蔽シート体が、クレジットカードを用いての電気料金とガス料金の支払いの申し込みに利用される場合、図１〜図３に示した情報隠蔽シート体が、クレジットカードの利用明細書とともに封筒に封入されてクレジットカード会社から送付されてくる。
【００３４】
図４は、図１〜図３に示した情報隠蔽シート体の申込情報が記入される前の状態を示す図であり、（ａ）はクレジットカード会社から送付される際の状態を示す図、（ｂ）は（ａ）に示したＡ−Ａ’断面図、（ｃ）は（ａ）に示した状態から見開かれた状態を示す図、（ｄ）は（ｃ）に示したＢ−Ｂ’断面図である。
【００３５】
クレジットカード会社からクレジットカードの利用明細書とともに封筒に封入された情報隠蔽シート体は図４（ａ），（ｂ）に示すように、２枚の申し込みシート１ａ，１ｂが重ね合わされた状態で申し込みシート１ａが内側となるように折り部３０にて折り畳まれている。２枚の申し込みシート１ａ，１ｂが重ね合わされた状態では、申し込みシート１ａの隠蔽片２０の裏面に塗布された剥離剤２２と、申し込みシート１ｂの隠蔽片２０の表面に塗布された粘着剤２１とが対向し、それにより、２枚の申し込みシート１ａ，１ｂが互いに剥離可能に貼着されている。また、申し込みシート１ａ，１ｂが折り畳まれた状態では、申し込みシート１ａの申込片１０の表面に塗布された剥離剤１２と、申し込みシート１ａの隠蔽片２０の表面に塗布された粘着剤２１とが対向し、それにより、申し込みシート１ａが折り畳まれた状態で申込片１０と隠蔽片２０とが剥離可能に貼着されている。これにより、申し込みシート１ａ，１ｂがクレジットカード会社から送付されてくる際、申し込みシート１ａ，１ｂの隠蔽片２０に塗布された粘着剤２１が露出せずにベタつくことがない。
【００３６】
図４（ａ），（ｂ）に示したような状態でクレジットカード会社から送付されてきた情報隠蔽シート体は、その後、申し込みシート１ａ，１ｂに設けられた申込情報記入領域１１ａ，１１ｂに申込情報を記入するために、申し込みシート１ａの申込片１０と隠蔽片２０とが剥離されて見開かれる。申し込みシート１ａ，１ｂが折り畳まれた状態の申し込みシート１ａは、隠蔽片２０の表面に塗布された粘着剤２１によって貼着されているものの、申込片１０の粘着剤２１に対向する領域には剥離剤１２が塗布されているため、申し込みシート１ａの申込片１０と隠蔽片２０とを剥離することができる。
【００３７】
申し込みシート１ａ，１ｂが見開かれると、図４（ｃ），（ｄ）に示すように、申し込みシート１ａの申込片１０に設けられた申込情報記入領域１１ａが露出する。この露出した申込情報記入領域１１ａに申込情報を記入する。本形態においては、申し込みシート１ａが、クレジットカードを用いての電気料金の支払いを申し込むためのものであるため、申込者の住所や氏名等の顧客情報と支払いを行うクレジットカード番号等が記入されることになる。
【００３８】
また、クレジットカードを用いてガス料金の支払いを申し込む場合は、２枚の申し込みシート１ａ，１ｂを剥離する。２枚の申し込みシート１ａ，１ｂは、申し込みシート１ｂの隠蔽片２０の表面に塗布された粘着剤２１によって貼着されているものの、申し込みシート１ａの隠蔽片２０の粘着剤２１に対向する領域には剥離剤２２が塗布されているため、２枚の申し込みシート１ａ，１ｂを剥離することができる。そして、申し込みシート１ｂの申込片１０に設けられた申込情報記入領域１１ｂに、申込者の住所や氏名等の顧客情報と支払いを行うクレジットカード番号等を記入する。
【００３９】
その後、申込情報記入領域１１ａ，１１ｂに申込情報が記入された申し込みシート１ａ，１ｂをそれぞれ折り部３０にて折り畳み、申し込みシート１ａは電力会社へ、また、申し込みシート１ｂはガス会社へそれぞれ送付する。
【００４０】
図５は、図１〜図３に示した申し込みシート１ａが折り畳まれた状態を示す図であり、（ａ）は表面図、（ｂ）は（ａ）に示したＡ−Ａ’断面図、（ｃ）は裏面図である。
【００４１】
図５に示すように、図１〜図３に示した申し込みシート１ａが折り畳まれると、申し込みシート１ａの申込片１０の表面に塗布された剥離剤１２と、申し込みシート１ａの隠蔽片２０の表面に塗布された粘着剤２１とが対向し、それにより、申込片１０と隠蔽片２０とが剥離可能に貼着される。そのため、申込片１０の申込情報記入領域１１ａに記入された申込情報は外部から視認不可能な状態となる。
【００４２】
なお、申し込みシート１ｂについても、折り部３０にて折り畳まれると、申し込みシート１ｂの申込片１０の表面に塗布された剥離剤１２と、申し込みシート１ｂの隠蔽片２０の表面に塗布された粘着剤２１とが対向し、それにより、申込片１０と隠蔽片２０とが剥離可能に貼着され、申込片１０の申込情報記入領域１１ｂに記入された申込情報が外部から視認不可能な状態となる。
【００４３】
このように折り畳まれた申し込みシート１ａ，１ｂが、申込片１０の裏面に印字された宛先情報１３ａ，１３ｂに従って電力会社やガス会社に送付された後、電力会社やガス会社において、申し込みシート１ａ，１ｂの申込片１０と隠蔽片２０とが剥離されて見開かれる。申し込みシート１ａ，１ｂが折り畳まれた状態においては、隠蔽片２０の表面に塗布された粘着剤２１によって申込片１０と隠蔽片２０とが互いに貼着されているものの、申込片１０の粘着剤２１に対向する領域には剥離剤１２が塗布されているため、申し込みシート１ａ，１ｂの申込片１０と隠蔽片２０とを剥離することができる。そして、申込情報記入領域１１ａ，１１ｂに記入された申込情報が確認され、その後、その申込内容がクレジットカード会社に通知される。
【００４４】
このように本形態においては、申込片１０に情報記入後に隠蔽片２０を貼着する必要がある２枚の申し込みシート１ａ，１ｂを粘着剤によって剥離可能に貼着しておき、申込片１０に隠蔽片２０を貼着する際に、２枚の申し込みシート１ａ，１ｂを剥離可能に貼着していた粘着剤を用いる構成としたため、剥離片が不要となり、製造や郵送にかかるコストアップを抑制することができるとともに、剥離片によるごみが生じない。
【００４５】
なお、本形態においては、２枚の申し込みシート１ａ，１ｂの隠蔽片２０にそれぞれ粘着剤２１が塗布されているが、２枚の申し込みシート１ａ，１ｂの申込片１０の表面の折り部３０以外の辺部に沿う領域にそれぞれ粘着剤を塗布する構成とすることも考えられる。ただしその場合、申し込みシート１ａの申込片１０の裏面の折り部３０以外の辺部に沿う領域と、２枚の申し込みシート１ａ，１ｂの隠蔽片２０の表面の折り部３０以外の辺部に沿う領域とにそれぞれ剥離剤を塗布する必要がある。
【００４６】
また、申込情報記入領域１１ａ，１１ｂへの情報の付与方法は、上述したように記入によるものに限らず、プリンタを用いた印字等によるものであってもよい。
【００４７】
（第２の実施の形態）
図６は、本発明の情報隠蔽シート体の第２の実施の形態を示す図である。
【００４８】
本形態は図６に示すように、申込情報が記入される情報片部である申込片１１０と、折り部１３０を介して申込片１１０に連接した隠蔽片１２０とからなる情報隠蔽シートである２枚の申し込みシート１０１ａ，１０１ｂが積層され、申し込みシート１０１ｂの隠蔽片１２０に塗布された粘着剤１２１によってこれらが貼着され、さらに、２枚の申し込みシート１０１ａ，１０１ｂのうち、積層状態にて最表面となる申し込みシート１０１ａの隠蔽片１２０上に剥離片１０２が積層され、申し込みシート１０１ａの隠蔽片１２０に塗布された粘着剤１２１によってこれらが貼着されて構成されている。なお、折り部１３０は、筋押しによる折り線やミシン目等によって形成することが考えられるが、ミシン目によって形成すれば、隠蔽片１２０が不要なった後に申込片１１０から隠蔽片１２０を容易に切り離すことができる。また、剥離片１０２は、剥離基材の一方の面にニス等が塗布され、このニス等が塗布された面が粘着剤１２１によって申し込みシート１０１ａの隠蔽片１２０と貼着されることにより、申し込みシート１０１ａの隠蔽片１２０と剥離片１０２とが剥離可能に貼着されることになる。
【００４９】
図７は、図６に示した申し込みシート１０１ａの詳細な構成を示す図であり、（ａ）は折り畳み状態内側となる面を示す図、（ｂ）は折り畳み状態外側となる面を示す図である。
【００５０】
図６に示した申し込みシート１０１ａは図７に示すように、申込片１１０と隠蔽片１２０とが折り部１３０を介して連接して構成されている。
【００５１】
申し込みシート１０１ａの申込片１１０は、その表面に、申込情報を記入するための申込情報付与領域である申込情報記入領域１１１ａが設けられている。また、申込片１１０の裏面には、この申し込みシート１０１ａの送付先の住所や名称等の宛先情報１１３ａが印字されているとともに、全面にマイクロカプセル層１１４が積層されている。
【００５２】
申し込みシート１０１ａの隠蔽片１２０は、その表面に、折り部１３０以外の辺部に沿う領域に粘着剤１２１が塗布されている。また、隠蔽片１２０の裏面には、折り部１３０以外の辺部に沿う領域に剥離剤１２２が塗布されている。
【００５３】
さらに、申し込みシート１０１ａの隠蔽片１２０には、粘着剤１２１及び剥離剤１２２が塗布された領域の内側に沿うようにミシン目１０３が形成されており、申込片１１０においても、折り部１３０にて折り畳まれた場合に隠蔽片１２０のミシン目１０３と対向する領域にミシン目１０３が形成されている。
【００５４】
図８は、図６に示した申し込みシート１０１ｂの詳細な構成を示す図であり、（ａ）は折り畳み状態内側となる面を示す図、（ｂ）は折り畳み状態外側となる面を示す図である。
【００５５】
図６に示した申し込みシート１０１ｂは図８に示すように、申込片１１０と隠蔽片１２０とが折り部１３０を介して連接して構成されている。
【００５６】
申し込みシート１０１ｂの申込片１１０は、その表面に、申込情報を記入するための申込情報付与領域である申込情報記入領域１１１ｂが設けられているとともに、全面に顕色剤層１１５が積層されている。また、申込片１１０の裏面には、この申し込みシート１０１ｂの送付先の住所や名称等の宛先情報１１３ｂが印字されている。
【００５７】
申し込みシート１０１ｂの隠蔽片１２０は、その表面に、折り部１３０以外の辺部に沿う領域に粘着剤１２１が塗布されている。
【００５８】
さらに、申し込みシート１０１ｂの隠蔽片１２０には、粘着剤１２１が塗布された領域の内側に沿うようにミシン目１０３が形成されており、申込片１１０においても、折り部１３０にて折り畳まれた場合に隠蔽片１２０のミシン目１０３と対向する領域にミシン目１０３が形成されている。
【００５９】
以下に、上記のように構成された情報隠蔽シート体の使用方法について、クレジットカードを用いての電気料金とガス料金の支払いを申し込む場合を例に挙げて説明する。なお、図６〜図８に示した申し込みシート１０１ａが電気料金の支払いを申し込むためのもの、申し込みシート１０１ｂがガス料金の支払いを申し込むためのものとする。
【００６０】
図６〜図８に示した情報隠蔽シート体が、クレジットカードを用いての電気料金とガス料金の支払いの申し込みに利用される場合、図６〜図８に示した情報隠蔽シート体が、クレジットカードの利用明細書とともに封筒に封入されてクレジットカード会社から送付されてくる。
【００６１】
図９は、図６〜図８に示した情報隠蔽シート体の申込情報が記入される前の状態を示す図であり、（ａ）は表面図、（ｂ）は（ａ）に示したＡ−Ａ’断面図である。
【００６２】
クレジットカード会社からクレジットカードの利用明細書とともに封筒に封入された情報隠蔽シート体は図９に示すように、２枚の申し込みシート１０１ａ，１０１ｂと剥離片１０２とが重ね合わされた状態となっている。２枚の申し込みシート１０１ａ，１０１ｂが重ね合わされた状態では、申し込みシート１０１ａの隠蔽片１２０の裏面に塗布された剥離剤１２２と、申し込みシート１０１ｂの隠蔽片１２０の表面に塗布された粘着剤１２１とが対向し、それにより、２枚の申し込みシート１０１ａ，１０１ｂが互いに剥離可能に貼着されている。また、申し込みシート１０１ａと剥離片１０２とが重ね合わされた状態では、申し込みシート１０１ａの隠蔽片１２０に塗布された粘着剤１２１によって申し込みシート１０１ａと剥離片１０２とが剥離可能に貼着されている。これにより、申し込みシート１０１ａ，１０１ｂがクレジットカード会社から送付されてくる際、申し込みシート１０１ａ，１０１ｂの隠蔽片１２０に塗布された粘着剤１２１が露出せずにベタつくことがない。
【００６３】
この状態では、申し込みシート１０１ａの申込片１１０に設けられた申込情報記入領域１１１ａが露出しているため、申込情報記入領域１１１ａに申込情報を記入することができる。本形態においては、申し込みシート１０１ａが、クレジットカードを用いての電気料金の支払いを申し込むためのものであるため、申込者の住所や氏名等の顧客情報と支払いを行うクレジットカード番号等が記入されることになる。この際、申し込みシート１０１ａの申込片１１０には剥離片１０２が隣接することになるが、剥離片１０２には、申込情報記入領域１１１ａへの記入例となる記入例情報１０２ａが記載されているため、この記入例情報１０２ａを参照しながら申込情報記入領域１１１ａへ容易に申込情報を記入することができる。
【００６４】
また、申し込みシート１０１ａの申込片１１０の裏面にはマイクロカプセル層１１４が積層されており、また、２枚の申し込みシート１０１ａ，１０１ｂが重ね合わされた状態にてこれと対向する申し込みシート１０１ｂの申込片１１０の表面には顕色剤層１１５が積層されているため、申込片１１０が複写可能な構造となり、それにより、申し込みシート１０１ａの申込情報記入領域１１１ａに申込情報が記入されると、その申込情報が、申し込みシート１０１ｂの申込情報記入領域１１１ｂに複写されることになる。
【００６５】
ここで、マイクロカプセル層１１４及び顕色剤層１１５について詳細に説明する。
【００６６】
マイクロカプセル層１１４は、発色剤がマイクロカプセル内に包含されたものであって、マイクロカプセルの壁材が外圧等によって破壊されることにより発色剤が放出された場合、顕色剤層１１５の顕色剤と接触することにより発色する。発色剤を内包するマイクロカプセルおよび顕色剤としては、感圧複写帳票に用いられる公知のものを適宜用いることができる。例えば、発色剤としてロイコ系染料を用い、これを芯材としてその周りに尿素−ホルマリン樹脂等の樹脂からなる壁材を形成して得られるマイクロカプセルを用いることができる。顕色剤としては、例えば固体酸を用いることができる。
【００６７】
そして、クレジットカードを用いてガス料金の支払いを申し込む場合は、２枚の申し込みシート１０１ａ，１０１ｂを剥離する。２枚の申し込みシート１０１ａ，１０１ｂは、申し込みシート１０１ｂの隠蔽片１２０の表面に塗布された粘着剤１２１によって貼着されているものの、申し込みシート１０１ａの隠蔽片１２０の粘着剤１２１に対向する領域には剥離剤１２２が塗布されているため、２枚の申し込みシート１０１ａ，１０１ｂを剥離することができる。申し込みシート１０１ｂの申込片１１０に設けられた申込情報記入領域１１１ｂには、上述したように、申し込みシート１０１ａの申込情報記入領域１１１ａに記入された申込情報が複写されているため、クレジットカードを用いてガス料金の支払いを申し込むために、申し込みシート１０１ｂの申込情報記入領域１１１ｂに申込情報を新たに記入する必要はない。
【００６８】
その後、申込情報記入領域１１１ａ，１１１ｂに申込情報が記入された申し込みシート１０１ａ，１０１ｂをそれぞれ折り部１３０にて折り畳み、申し込みシート１０１ａは電力会社へ、また、申し込みシート１０１ｂはガス会社へそれぞれ送付する。なお、この際、申し込みシート１０１ａから剥離片１０２を剥離する。
【００６９】
図１０は、図６〜図８に示した申し込みシート１０１ａが折り畳まれた状態を示す図であり、（ａ）は表面図、（ｂ）は（ａ）に示したＡ−Ａ’断面図、（ｃ）は裏面図である。
【００７０】
図１０に示すように、図６〜図８に示した申し込みシート１０１ａが折り畳まれると、申し込みシート１０１ａの隠蔽片１２０の表面に塗布された粘着剤１２１によって、申込片１１０と隠蔽片１２０とが貼着される。そのため、申込片１１０の申込情報記入領域１１１ａに記入された申込情報は外部から視認不可能な状態となる。
【００７１】
なお、申し込みシート１０１ｂについても、折り部１３０にて折り畳まれると、申し込みシート１０１ｂの隠蔽片１２０の表面に塗布された粘着剤１２１によって、申込片１１０と隠蔽片１２０とが貼着される。そのため、申込片１１０の申込情報記入領域１１１ｂに複写された申込情報は外部から視認不可能な状態となる。
【００７２】
このように折り畳まれた申し込みシート１０１ａ，１０１ｂが、申込片１１０の裏面に印字された宛先情報１１３ａ，１１３ｂに従って電力会社やガス会社に送付された後、電力会社やガス会社において、申し込みシート１０１ａ，１０１ｂが見開かれる。
【００７３】
図１１は、図１０に示した申し込みシート１０１ａが見開かれた状態を示す図である。
【００７４】
申し込みシート１０１ａには、隠蔽片１２０に塗布された粘着剤１２１の内側に沿うようにミシン目１０３が形成されているとともに、申込片１１０においても、折り部１３０にて折り畳まれた場合にこのミシン目１０３と対向する領域にミシン目１０３が形成されているため、図１１に示すように、申込片１１０と隠蔽片１２０とが粘着剤１２１によって貼着されている状態からミシン目１０３を断裁することにより、申し込みシート１０１ａを見開くことができる。
【００７５】
なお、申し込みシート１０１ｂにおいても、隠蔽片１２０に塗布された粘着剤１２１の内側に沿うようにミシン目１０３が形成されているとともに、申込片１１０においても、折り部１３０にて折り畳まれた場合にこのミシン目１０３と対向する領域にミシン目１０３が形成されているため、申込片１１０と隠蔽片１２０とが粘着剤１２１によって貼着されている状態からミシン目１０３を断裁することにより、申し込みシート１０１ａを見開くことができる。
【００７６】
そして、電力会社やガス会社において、申込情報記入領域１１１ａ，１１１ｂに記入された申込情報が確認され、その後、その申込内容がクレジットカード会社に通知される。
【００７７】
なお、本形態においては、２枚の申し込みシート１０１ａ，１０１ｂの隠蔽片１２０にそれぞれ粘着剤１２１が塗布されているが、２枚の申し込みシート１０１ａ，１０１ｂの申込片１１０の表面の折り部１３０以外の辺部に沿う領域にそれぞれ粘着剤を塗布する構成とすることも考えられる。ただしその場合、申し込みシート１０１ａの申込片１１０の裏面の折り部１３０以外の辺部に沿う領域に剥離剤を塗布する必要がある。
【００７８】
（第３の実施の形態）
図１２は、本発明の情報隠蔽シート体の第３の実施の形態を示す図である。
【００７９】
本形態は図１２に示すように、申込情報が記入される情報片部である申込片２１０と、折り部２３０を介して申込片２１０に連接した隠蔽片２２０とからなる情報隠蔽シートである２枚の申し込みシート２０１ａ，２０１ｂが積層され、申し込みシート２０１ｂの隠蔽片２２０に塗布された粘着剤２２１によってこれらが貼着され、さらに、２枚の申し込みシート２０１ａ，２０１ｂのうち、積層状態にて最表面となる申し込みシート２０１ａの隠蔽片２２０上に剥離片２０２が積層され、申し込みシート２０１ａの隠蔽片２２０に塗布された粘着剤２２１によってこれらが貼着されて構成されている。なお、折り部２３０は、筋押しによる折り線やミシン目等によって形成することが考えられるが、ミシン目によって形成すれば、隠蔽片２２０が不要なった後に申込片２１０から隠蔽片２２０を容易に切り離すことができる。
【００８０】
図１３は、図１２に示した申し込みシート２０１ａの詳細な構成を示す図であり、（ａ）は折り畳み状態内側となる面を示す図、（ｂ）は折り畳み状態外側となる面を示す図である。
【００８１】
図１２に示した申し込みシート２０１ａは図１３に示すように、申込片２１０と隠蔽片２２０とが折り部２３０を介して連接して構成されている。
【００８２】
申し込みシート２０１ａの申込片２１０は、その表面に、申込情報を記入するための申込情報付与領域である申込情報記入領域２１１ａが設けられている。また、申込片２１０の裏面には、この申し込みシート２０１ａの送付先の住所や名称等の宛先情報２１３ａが印字されているとともに、全面にマイクロカプセル層２１４が積層されている。
【００８３】
申し込みシート２０１ａの隠蔽片２２０は、その表面の全面に、剥離可能でかつ、剥離後の再貼着が可能な粘着剤２２１が塗布されている。
【００８４】
図１４は、図１２に示した申し込みシート２０１ｂの詳細な構成を示す図であり、（ａ）は折り畳み状態内側となる面を示す図、（ｂ）は折り畳み状態外側となる面を示す図である。
【００８５】
図１２に示した申し込みシート２０１ｂは図１４に示すように、申込片２１０と隠蔽片２２０とが折り部２３０を介して連接して構成されている。
【００８６】
申し込みシート２０１ｂの申込片２１０は、その表面に、申込情報を記入するための申込情報付与領域である申込情報記入領域２１１ｂが設けられているとともに、全面に顕色剤層２１５が積層されている。また、申込片２１０の裏面には、この申し込みシート２０１ｂの送付先の住所や名称等の宛先情報２１３ｂが印字されている。
【００８７】
申し込みシート２０１ｂの隠蔽片２２０は、その表面の全面に、剥離可能でかつ、剥離後の再貼着が可能な粘着剤２２１が塗布されている。
【００８８】
以下に、上記のように構成された情報隠蔽シート体の使用方法について、クレジットカードを用いての電気料金とガス料金の支払いを申し込む場合を例に挙げて説明する。なお、図１２〜図１４に示した申し込みシート２０１ａが電気料金の支払いを申し込むためのもの、申し込みシート２０１ｂがガス料金の支払いを申し込むためのものとする。
【００８９】
図１２〜図１４に示した情報隠蔽シート体が、クレジットカードを用いての電気料金とガス料金の支払いの申し込みに利用される場合、図１２〜図１４に示した情報隠蔽シート体が、クレジットカードの利用明細書とともに封筒に封入されてクレジットカード会社から送付されてくる。
【００９０】
図１５は、図１２〜図１４に示した情報隠蔽シート体の申込情報が記入される前の状態を示す図であり、（ａ）は表面図、（ｂ）は（ａ）に示したＡ−Ａ’断面図である。
【００９１】
クレジットカード会社からクレジットカードの利用明細書とともに封筒に封入された情報隠蔽シート体は図１５に示すように、２枚の申し込みシート２０１ａ，２０１ｂと剥離片２０２とが重ね合わされた状態となっている。２枚の申し込みシート２０１ａ，２０１ｂが重ね合わされた状態では、申し込みシート２０１ｂの隠蔽片２２０の表面に塗布された粘着剤２２１によって、２枚の申し込みシート２０１ａ，２０１ｂが互いに剥離可能に貼着されている。また、申し込みシート２０１ａと剥離片２０２とが重ね合わされた状態では、申し込みシート２０１ａの隠蔽片２２０の表面に塗布された粘着剤２２１によって、申し込みシート２０１ａと剥離片２０２とが剥離可能に貼着されている。これにより、申し込みシート２０１ａ，２０１ｂがクレジットカード会社から送付されてくる際、申し込みシート２０１ａ，２０１ｂの隠蔽片２２０に塗布された粘着剤２２１が露出せずにベタつくことがない。
【００９２】
この状態では、申し込みシート２０１ａの申込片２１０に設けられた申込情報記入領域２１１ａが露出しているため、申込情報記入領域２１１ａに申込情報を記入することができる。本形態においては、申し込みシート２０１ａが、クレジットカードを用いての電気料金の支払いを申し込むためのものであるため、申込者の住所や氏名等の顧客情報と支払いを行うクレジットカード番号等が記入されることになる。この際、申し込みシート２０１ａの申込片２１０には剥離片２０２が隣接することになるが、剥離片２０２には、申込情報記入領域２１１ａへの記入例となる記入例情報２０２ａが記載されているため、この記入例情報２０２ａを参照しながら申込情報記入領域２１１ａへ容易に申込情報を記入することができる。
【００９３】
また、申し込みシート２０１ａの申込片２１０の裏面にはマイクロカプセル層２１４が積層されており、２枚の申し込みシート２０１ａ，２０１ｂが重ね合わされた状態にてこれと対向する申し込みシート２０１ｂの申込片２１０の表面には顕色剤層２１５が積層されているため、申込片２１０が複写可能な構造となり、それにより、申し込みシート２０１ａの申込情報記入領域２１１ａに申込情報が記入されると、その申込情報が、申し込みシート２０１ｂの申込情報記入領域２１１ｂに複写されることになる。なお、マイクロカプセル層２１４及び顕色剤層２１５については、第２の実施の形態にて示したマイクロカプセル層１１４及び顕色剤層１１５と同様のものが用いられる。
【００９４】
そして、クレジットカードを用いてガス料金の支払いを申し込む場合は、２枚の申し込みシート２０１ａ，２０１ｂを剥離する。２枚の申し込みシート２０１ａ，２０１ｂは、申し込みシート２０１ｂの隠蔽片２２０の表面に塗布された粘着剤２２１によって貼着されているものの、この粘着剤２２１は剥離可能なものであるため、２枚の申し込みシート２０１ａ，２０１ｂを剥離することができる。申し込みシート２０１ｂの申込片２１０に設けられた申込情報記入領域２１１ｂには、上述したように、申し込みシート２０１ａの申込情報記入領域２１１ａに記入された申込情報が複写されているため、クレジットカードを用いてガス料金の支払いを申し込むために、申し込みシート２０１ｂの申込情報記入領域２１１ｂに申込情報を新たに記入する必要はない。
【００９５】
その後、申込情報記入領域２１１ａ，２１１ｂに申込情報が記入された申し込みシート２０１ａ，２０１ｂをそれぞれ折り部２３０にて折り畳み、申し込みシート２０１ａは電力会社へ、また、申し込みシート２０１ｂはガス会社へそれぞれ送付する。なお、この際、申し込みシート２０１ａから剥離片２０２を剥離する必要があるが、申し込みシート２０１ａと剥離片２０２とを貼着している粘着剤２２１が剥離可能なものであるため、申し込みシート２０１ａから剥離片２０２を剥離することができる。
【００９６】
図１６は、図１２〜図１４に示した申し込みシート２０１ａが折り畳まれた状態を示す図であり、（ａ）は表面図、（ｂ）は（ａ）に示したＡ−Ａ’断面図、（ｃ）は裏面図である。
【００９７】
図１６に示すように、図１２〜図１４に示した申し込みシート２０１ａが折り畳まれると、申し込みシート２０１ａの申込片２１０と隠蔽片２２０とが、隠蔽片２２０に塗布された粘着剤２２１を介して対向する。粘着剤２２１は、２枚の申し込みシート２０１ａ，２０１ｂを貼着するために用いられていたものであるが、剥離後の再貼着が可能なものであるため、この粘着剤２２１によって申込片２１０と隠蔽片２２０とが貼着される。これにより、申込片２１０の申込情報記入領域２１１ａに記入された申込情報は外部から視認不可能な状態となる。
【００９８】
なお、申し込みシート２０１ｂについても、折り部２３０にて折り畳まれると、申し込みシート２０１ｂの隠蔽片２２０の表面に塗布された粘着剤２２１によって、申込片２１０と隠蔽片２２０とが貼着される。そのため、申込片２１０の申込情報記入領域２１１ｂに複写された申込情報は外部から視認不可能な状態となる。
【００９９】
このように折り畳まれた申し込みシート２０１ａ，２０１ｂが、申込片２１０の裏面に印字された宛先情報２１３ａ，２１３ｂに従って電力会社やガス会社に送付された後、電力会社やガス会社において、申し込みシート２０１ａ，２０１ｂの申込片２１０と隠蔽片２２０とが剥離されて見開かれる。申し込みシート２０１ａ，２０１ｂが折り畳まれた状態においては、隠蔽片２２０の表面に塗布された粘着剤２２１によって申込片２１０と隠蔽片２２０とが互いに貼着されているものの、この粘着剤２２１が剥離可能なものであるため、申し込みシート２０１ａ，２０１ｂの申込片２１０と隠蔽片２２０とを剥離することができる。そして、申込情報記入領域２１１ａ，２１１ｂに記入された申込情報が確認され、その後、その申込内容がクレジットカード会社に通知される。
【０１００】
なお、上述した第２及び第３の実施の形態においては、申し込みシート１０１ａ，２０１ａの申込片１１０，２１０の裏面にマイクロカプセル層１１４，２１４を積層し、申し込みシート１０１ｂ，２０１ｂの申込片１１０，２１０の表面に顕色剤層１１５，２１５を積層することにより、申し込みシート１０１ａ，２０１ａの申込情報記入領域１１１ａ，２１１ａに記入された情報を申し込みシート１０１ｂ，２０１ｂの申込情報記入領域１１１ｂ，２１１ｂに複写可能な構造としたが、本発明は、申し込みシート１０１ａ，２０１ａの申込情報記入領域１１１ａ，２１１ａに記入された情報が申し込みシート１０１ｂ，２０１ｂの申込情報記入領域１１１ｂ，２１１ｂに複写可能な構成を有するものであればそれに限らない。
【０１０１】
また、上述した第２及び第３の実施の形態においては、申込情報記入領域１１１ａ，２１１ａに申込情報を記入することにより情報を付与しているが、申込情報記入領域１１１ｂ，２１１ｂに申込情報が複写されるものであれば、インパクトプリンタ等を用いた情報付与方法であってもよい。
【０１０２】
なお、上述した３つの実施の形態においては、２枚の申し込みシートが積層された構成を例に挙げて説明したが、３枚以上の申し込みシートが積層されたものであっても、それらが上述したものと同様な構成により貼着されたものであれば適用することができる。
【図面の簡単な説明】
【０１０３】
【図１】本発明の情報隠蔽シート体の第１の実施の形態を示す図である。
【図２】図１に示した申し込みシートの詳細な構成を示す図であり、（ａ）は折り畳み状態内側となる面を示す図、（ｂ）は折り畳み状態外側となる面を示す図である。
【図３】図１に示した申し込みシートの詳細な構成を示す図であり、（ａ）は折り畳み状態内側となる面を示す図、（ｂ）は折り畳み状態外側となる面を示す図である。
【図４】図１〜図３に示した情報隠蔽シート体の申込情報が記入される前の状態を示す図であり、（ａ）はクレジットカード会社から送付される際の状態を示す図、（ｂ）は（ａ）に示したＡ−Ａ’断面図、（ｃ）は（ａ）に示した状態から見開かれた状態を示す図、（ｄ）は（ｃ）に示したＢ−Ｂ’断面図である。
【図５】図１〜図３に示した申し込みシートが折り畳まれた状態を示す図であり、（ａ）は表面図、（ｂ）は（ａ）に示したＡ−Ａ’断面図、（ｃ）は裏面図である。
【図６】本発明の情報隠蔽シート体の第２の実施の形態を示す図である。
【図７】図６に示した申し込みシートの詳細な構成を示す図であり、（ａ）は折り畳み状態内側となる面を示す図、（ｂ）は折り畳み状態外側となる面を示す図である。
【図８】図６に示した申し込みシートの詳細な構成を示す図であり、（ａ）は折り畳み状態内側となる面を示す図、（ｂ）は折り畳み状態外側となる面を示す図である。
【図９】図６〜図８に示した情報隠蔽シート体の申込情報が記入される前の状態を示す図であり、（ａ）は表面図、（ｂ）は（ａ）に示したＡ−Ａ’断面図である。
【図１０】図６〜図８に示した申し込みシートが折り畳まれた状態を示す図であり、（ａ）は表面図、（ｂ）は（ａ）に示したＡ−Ａ’断面図、（ｃ）は裏面図である。
【図１１】図１０に示した申し込みシートが見開かれた状態を示す図である。
【図１２】本発明の情報隠蔽シート体の第３の実施の形態を示す図である。
【図１３】図１２に示した申し込みシートの詳細な構成を示す図であり、（ａ）は折り畳み状態内側となる面を示す図、（ｂ）は折り畳み状態外側となる面を示す図である。
【図１４】図１２に示した申し込みシートの詳細な構成を示す図であり、（ａ）は折り畳み状態内側となる面を示す図、（ｂ）は折り畳み状態外側となる面を示す図である。
【図１５】図１２〜図１４に示した情報隠蔽シート体の申込情報が記入される前の状態を示す図であり、（ａ）は表面図、（ｂ）は（ａ）に示したＡ−Ａ’断面図である。
【図１６】図１２〜図１４に示した申し込みシートが折り畳まれた状態を示す図であり、（ａ）は表面図、（ｂ）は（ａ）に示したＡ−Ａ’断面図、（ｃ）は裏面図である。
【図１７】従来の隠蔽申込はがきの一例を示す図であり、（ａ）は折り畳み状態内側となる面を示す図、（ｂ）は（ａ）に示したＡ−Ａ’断面図である。
【図１８】クレジットカードを用いた公共料金の支払いサービスを、１つのクレジットカード会社において複数の公共料金について提供する場合の処理の流れを説明するための図である。
【符号の説明】
【０１０４】
１ａ，１ｂ，１０１ａ，１０１ｂ，２０１ａ，２０１ｂ    申し込みシート
１０，１１０，２１０    申込片
１１ａ，１１ｂ，１１１ａ，１１１ｂ，２１１ａ，２１１ｂ    申込情報記入領域
１２，２２，１２２    剥離剤
１３ａ，１３ｂ，１１３ａ，１１３ｂ，２１３ａ，２１３ｂ    宛先情報
２０，１２０，２２０    隠蔽片
２１，１２１，２２１    粘着剤
３０，１３０，２３０    折り部
１０２，２０２    剥離片
１０２ａ，２０２ａ    記入例情報
１０３    ミシン目
１１４，２１４    マイクロカプセル層
１１５，２１５    顕色剤層
【図１】
0004749116.tif 000002
【図２】
0004749116.tif 000003
【図３】
0004749116.tif 000004
【図４】
0004749116.tif 000005
【図５】
0004749116.tif 000006
【図６】
0004749116.tif 000007
【図７】
0004749116.tif 000008
【図８】
0004749116.tif 000009
【図９】
0004749116.tif 000010
【図１０】
0004749116.tif 000011
【図１１】
0004749116.tif 000012
【図１２】
0004749116.tif 000013
【図１３】
0004749116.tif 000014
【図１４】
0004749116.tif 000015
【図１５】
0004749116.tif 000016
【図１６】
0004749116.tif 000017
【図１７】
0004749116.tif 000018
【図１８】
0004749116.tif 000019